(57)【要約】  本発明は、多様な生理活性成分を含有する自己集合性高分子ナノ粒子及びこれを含有する皮膚外用剤組成物に関し、より詳細には、疎水性ブロックとしてポリカプロラクトンを、親水性ブロックとしてポリエチレングリコールを有する両親媒性高分子を用いて、生理活性成分を水溶液相で捕集及び可溶化させた自己集合性高分子ナノ粒子及びこれを含有する皮膚外用剤組成物に関する。
2007520576.tif 000002
【特許請求の範囲】
【請求項１】
疎水性高分子としてポリカプロラクトン及び親水性高分子としてポリエチレングリコールの共重合体を含む両親媒性高分子に生理活性成分を捕集させて形成されたものであることを特徴とする自己集合性高分子ナノ粒子。
【請求項２】
上記ナノ粒子の平均粒径が１〜１，０００ｎｍであることを特徴とする請求項１に記載の自己集合性高分子ナノ粒子。
【請求項３】
上記ナノ粒子の内部に捕集される生理活性成分は、上記ナノ粒子の総重量に対して０．１〜５０重量％であることを特徴とする請求項１に記載の自己集合性高分子ナノ粒子。
【請求項４】
上記両親媒性高分子は、ポリカプロラクトンとポリエチレングリコールの構成比率が重量比で１：９乃至９：１である共重合体であることを特徴とする請求項１に記載の自己集合性高分子ナノ粒子。
【請求項５】
上記ポリカプロラクトンは、５００乃至１００，０００ダルトンの分子量を有することを特徴とする請求項１に記載の自己集合性高分子ナノ粒子。
【請求項６】
上記ポリエチレングリコールは、５００乃至１００，０００ダルトンの分子量を有することを特徴とする請求項１に記載の自己集合性高分子ナノ粒子。
【請求項７】
上記生理活性成分は、大黄、ゲニステイン、ヘスペリチン、ヘスペリジン、カテキン、イソフラボン、ダナゾール、ハロペリドール、フロセミド、イソソルビド・ジニトレート、クロラムフェニコール、スルファメトキサゾール、カフェイン、シメチジン、ソジウムジクロフェナク、コエンチームＱ１０、ビタミンＥ及びその誘導体、ビタミンＡ及びその誘導体、プロビタミンＤ３及びその誘導体、ウルソル酸、オレアノール酸、ロスマリン酸、１８−ベータグリシルレチン酸、グラブリジン、アリューリット酸、ポリフェノール、エスクリン、エピガロカテキンガレート、ターメリック酸、ジンセノサイド、テトラハイドロクルクミノイド、センテラ・アジアティカ、ベータ−カロチン、アジアティコサイド、ファルネソール、ベータ−シトステロール、リノール酸、ガンマリノール酸、レスベラトロル、ビネアトロール、イチョウ葉、トリクロサン、ミノキシジル、天然精油、セラミド、スフィンゴシン、柏子仁抽出物、何首烏抽出物、甘草抽出物、鳩麦抽出物、フィナステライドまたはジンセノサイドよりなる群から選ばれるものであることを特徴とする請求項１に記載の自己集合性高分子ナノ粒子。
【請求項８】
上記生理活性成分は、水に対して難溶性であることを特徴とする請求項１に記載の自己集合性高分子ナノ粒子。
【請求項９】
上記生理活性成分は、ジンセノサイド、コエンチームＱ１０、及び発毛または育毛促進用成分よりなる群から選ばれるものであることを特徴とする請求項８に記載の自己集合性高分子ナノ粒子。
【請求項１０】
上記発毛または育毛促進用成分は、フィナステライド、ミノキシジル、柏子仁抽出物、何首烏抽出物、甘草抽出物、鳩麦抽出物、イソフラボン、ゲニステイン、ヘスペリチン、ヘスペリジン、カテキン、ビタミンＥ及びその誘導体、ビタミンＡ及びその誘導体、プロビタミンＤ３及びその誘導体、ウルソル酸、オレアノール酸、ロスマリン酸、１８−ベータグリシルレチン酸、ファルネソール、ベータ−シトステロール、リノール酸、ガンマリノール酸、レスベラトロル、セラミド、スフィンゴシン及びジンセノサイドよりなる群から選ばれるいずれか１つ以上であることを特徴とする請求項９に記載の自己集合性高分子ナノ粒子。
【請求項１１】
請求項１乃至１０のいずれか１項に記載の自己集合性高分子ナノ粒子を有効成分として含有することを特徴とする皮膚外用剤組成物。
【請求項１２】
上記組成物は、ヘアトニック、ヘアリキッド、スカルプトリートメント、ヘアークリーム、ヘアーゼル、ヘアスプレー、ヘアーシャンプー、リンス、柔軟化粧水、収斂化粧水、栄養化粧水、栄養クリーム、マッサージクリーム、エッセンス、アイクリーム、アイエッセンス、クレンジングクリーム、クレンジングフォーム、クレンジングウォーター、パック、パウダー、メイカップベース、ファウンデーション、ボディーローション、ボディークリーム、ボディーオイル、ボディーエッセンス、ボディー洗浄剤、毛染め剤、ローション、軟膏、ジェル、クリーム、パッチまたは噴霧剤から選択された剤型を有することを特徴とする請求項１１に記載の皮膚外用剤組成物。
【請求項１３】
疎水性高分子としてポリカプロラクトン及び親水性高分子としてポリエチレングリコールを共重合して両親媒性高分子を製造する段階と、
上記製造された両親媒性高分子と生理活性成分を有機溶媒で攪拌しながら溶解させて、混合溶液を製造する段階と、
上記製造された混合溶液を水溶液相に投入し、攪拌しながら乳化させる段階と、
溶媒を除去し、ナノメータサイズの粒子を製造する段階と、を含むことを特徴とする自己集合性高分子ナノ粒子の製造方法。
【請求項１４】
上記両親媒性高分子は、ポリカプロラクトンとポリエチレングリコールの構成比率が重量比で１：９乃至９：１である共重合体であることを特徴とする請求項１３に記載の製造方法。
【請求項１５】
上記生理活性成分は、水に対して難溶性であることを特徴とする請求項１３に記載の製造方法。
【請求項１６】
上記生理活性成分は、ジンセノサイド、コエンチームＱ１０、及び発毛または育毛促進用成分よりなる群から選ばれるものであることを特徴とする請求項１３に記載の製造方法。
【発明の詳細な説明】
【技術分野】
【０００１】
本発明は、多様な生理活性成分を含有する自己集合性高分子ナノ粒子及びこれを含有する皮膚外用剤組成物に関する。より詳細には、疎水性ブロックとしてポリカプロラクトンを、親水性ブロックとしてポリエチレングリコールを有する両親媒性高分子を用いて、生理活性成分を水溶液相で捕集及び可溶化させた自己集合性高分子ナノ粒子及びこれを含有する皮膚外用剤組成物に関する。
【背景技術】
【０００２】
近年、油溶性薬物と脂質、グリセロールと水、リン脂質または水溶性非イオン性界面活性剤を用いてナノメータサイズ乃至マイクロメータサイズの乳化粒子を製造する技術が報告されており（米国特許第５，３３８，７６１号）、また、電荷を有するリン脂質（ｐｈｏｓｐｈｏｌｉｐｉｄ）を乳化剤（ｅｍｕｌｓｉｆｉｅｒ）として使用したナノ粒子を製造する技術が報告されている（米国特許第６，１２０，７５１号）。代表的な例として、ナノエマルジョンは、特定の親水−疎水性の比の値を有する界面活性剤を用いて、半剤型を製造した後、これを高圧乳化器などで処理して、微細な乳化粒子を形成したものであり、リポソーム構造は、植物または動物から由来するリン脂質の原料を用いて、単一または多重膜を形成しながら効能物質を捕集させた球形またはその他の形態を有する粒子構造であって、前述の２つの技術は、ともに各種化粧品の剤型において既に広く使われている技術である。また、乳化剤、オイル及び水よりなる３相が適当な濃度をなす時に形成されるマイクロエマルジョン（ｍｉｃｒｏｅｍｕｌｓｉｏｎ）を用いたナノサイズの乳化粒子の製造に関する技術が報告されている（米国特許第５，１５２，９２３号、ＷＯ９１／０６，２８６号及びＷＯ９１／０６，２８７号）。
【０００３】
しかしながら、前述の従来技術のように、乳化粒子（ｅｍｕｌｓｉｏｎ  ｐａｒｔｉｃｌｅｓ）の場合、乳化膜が外界と動的平衡状態に置かれることから、乳化物の内部にある有効成分が持続的に水と接するようになり、酸化または分解による変性が生じる問題点がある。また、乳化膜は、物理化学的に非常に弱くて且つ不安定なので、塩や電荷を有する有機物または無機物による汚染に起因して乳化膜が破壊され、熱や光に対しても非常に弱いため、長期間の保管において不安定であるという短所がある。このように、低分子乳化剤を用いて有効成分を含有するナノメータサイズの乳化粒子は、水溶液相で不安定な傾向を示す活性成分に使用するには適さないだけでなく、活性成分を含有する乳化粒子を剤型化するのにかなり大きい制約を受けるようになる。また、高濃度の有効成分を含有するためには、それに比例して多量の乳化剤を使用しなければならないので、乳化剤による皮膚刺激などが誘発されることができる。
【０００４】
しかしながら、ナノ乳化粒子は、実際皮膚に塗布するに際して、乳化膜が破れたり、皮膚の内部に吸収されてナノ乳化粒子の界面膜が破壊されることによって、内部の捕集薬物が一時に放出されるという長所があり、乳化膜を形成する乳化剤の分子デザインによって外界との接触を最小化させることができるという長所がある。一例として、コキレート（ｃｏｃｈｌｅａｔｅ）を使用することによって、内部の捕集物質が外界との接触を最小化し、皮膚への適用や服用の時、一度に活性成分を放出する長所を極大化させた方法も報告されている（米国特許４，６６３，１６１号）。そのため、低分子量の物質を使用する場合、それ自体の物理化学的安定度及び内部に捕集された生理活性物質の化学的安定度を向上させるための方法が要求されていて、特に、有効成分を安定に捕集した状態に剤型化過程が施され、実際適用される過程に効果的に内部の生理活性成分を放出するナノ技術に対する必要性がだんだん増加している。
【０００５】
このような低分子量の物質で構成される乳化粒子の短所を補完するために、脂質の代わりに高分子を疎水性コアとして使用したナノ粒子が研究されているところ、大部分の場合、過量の界面活性剤を用いて溶媒に溶かした高分子をナノサイズに分散し、溶媒を蒸発させて固化させたものである（Ｃｏｌｌｏｉｄｓ  ａｎｄ  Ｓｕｒｆａｃｅ  Ａ２１０（２００２）９５−１０４）。
【０００６】
前述のように従来の技術により製造されるナノ粒子は、小さいサイズから起因するコロイド不安定性によりナノサイズに製造することが難しいので、多様な種類の界面活性剤と安定剤を複合的に使用したり添加し、自発的にナノサイズの粒径を有しないため、高圧乳化のような高いエネルギー消費を要求する工程を用いて製造するようになる。それに加えて、前述の全ての技術が、多少の差異はあっても、共通に有する短所は、オストワルド熟成（Ｏｓｔｗａｌｄ  ｒｉｐｅｎｉｎｇ）、沈殿、凝集（ｆｌｏｃｃｕｌａｔｉｏｎ）のようなコロイド不安定性メカニズムによりコロイドの安定性が低いということであり、固形分の含量が増加するほどコロイド不安定性が急激に増加するため、高い含量のナノ微小球分散液を含有することかできないということである（２１次  Ｐｒｏｃｅｅｄｉｎｇｓ  ｏｆ  ＩＦＳＣＣ  Ｉｎｔｅｒｎａｔｉｏｎａｌ  Ｃｏｎｇｒｅｓｓ  ２０００（２０００）４４２−４５８）。
【０００７】
これを克服するための方法として、効能物質を剤型内に一層安定で且つ容易に捕集するための多様な技術が開発されているが、これらは、いろいろな外用剤、特に化粧品または薬品の製造産業において核心的な技術としてその価値を認められている。特に、育毛分野では、捕集させた効能物質を毛嚢に安全に伝達して効能を増進させるための目的としてリポソームを開発し、これを改善しようとする研究が最近幅広く進行されており（Ｆｏｌｌｉｃｕｌａｒ  ｌｉｐｏｓｏｍａｌ  ｄｅｌｉｖｅｒｙ  ｓｙｓｔｅｍｓ．  Ｊ  Ｌｉｐｏｓｏｍｅ  Ｒｅｓ．  ２００２、１２：１４３−８）、ナノ化した粒径伝達体に対する研究も幅広く進行されている。
【特許文献１】米国特許第５，３３８，７６１号公報
【特許文献２】米国特許第６，１２０，７５１号公報
【特許文献３】米国特許第５，１５２，９２３号公報
【特許文献４】ＷＯ９１／０６，２８６号パンフレット
【特許文献５】ＷＯ９１／０６，２８７号パンフレット
【特許文献６】米国特許４，６６３，１６１号公報
【非特許文献１】Ｐｒｏｃｅｅｄｉｎｇｓ  ｏｆ  ＩＦＳＣＣ  Ｉｎｔｅｒｎａｔｉｏｎａｌ  Ｃｏｎｇｒｅｓｓ  ２０００（２０００）４４２−４５８
【非特許文献２】Ｆｏｌｌｉｃｕｌａｒ  ｌｉｐｏｓｏｍａｌ  ｄｅｌｉｖｅｒｙ  ｓｙｓｔｅｍｓ．  Ｊ  Ｌｉｐｏｓｏｍｅ  Ｒｅｓ．  ２００２、１２：１４３−８
【発明の開示】
【０００８】
本発明は、多様な生理活性成分を含有する自己集合性高分子ナノ粒子及びこれを含有する皮膚外用剤組成物に関し、より詳細には、疎水性ブロックとしてポリカプロラクトンを、親水性ブロックとしてポリエチレングリコールを有する両親媒性高分子を用いて生理活性成分を水溶液相で捕集及び可溶化させた自己集合性高分子ナノ粒子及びこれを含有する皮膚外用剤組成物に関する。
【０００９】
本発明に係る自己集合性ナノ粒子を使用する場合、特に水に対して不溶性である生理活性成分を剤型化及び安定化するのに非常に優れているが、これは、本発明に係る自己集合性ナノ粒子の自己集合特性によって上記不溶性成分を捕集する機能に優れているからである。
【００１０】
本発明の高分子ナノ粒子に捕集される生理活性成分には、ジンセノサイド、コエンチームＱ１０、発毛活性成分であるフィナステライド及びシクロスポリンなどが挙げられるが、必ずこれらに限定されるものではない。
【００１１】
［発明を実施するための最良の形態］
本発明のナノ粒子を製造するために使用する自己集合性を有する両親媒性高分子は、疎水性生分解性ポリカプロラクトン（ＰＣＬ、化学式１；“Ａ”成分という）と親水性ポリエチレングリコール（ＰＥＧ、化学式２；“Ｂ”成分という）が共重合体を形成することが好ましい。特に、Ａ−Ｂ形態の二重ブロック、またはＡ−Ｂ−ＡまたはＢ−Ａ−Ｂの形態の三重ブロック共重合体で構成されることが最も好ましいが、多重ブロックまたはグラフトタイプの共重合も使用可能であり、その構造がナノ粒子の製造及び効果において特別な制限を与えない。
【００１２】
また、上記疎水性高分子は、分子量が５００乃至１００，０００ダルトンに該当するＰＣＬで構成され、生成されたナノ粒子の特性を考慮する時、１０００乃至２５，０００ダルトンであることが好ましい。親水性高分子は、分子量５００乃至１００，０００ダルトンに該当するＰＥＧで構成され、生成されたナノ粒子の特性を考慮する時、１，０００乃至２５，０００ダルトンであることが好ましい。このようなＰＣＬとＰＥＧの構成比率は、重量比で１：９乃至９：１であることが可能であり、より好ましくは、３：７乃至７：３間の値を有することが好ましく、ＰＣＬとＰＥＧの構成比率は、重量比で６：４である場合が最も好ましい。
【化１】
2007520576.tif 000003
【化２】
2007520576.tif 000004
【００１３】
本発明において、ポリカプロラクトンとポリエチレングリコールは、エステル結合、アンハイドライド結合、カルバメート結合、カーボネート結合、イミンまたはアミド結合、２次アミン結合、ウレタン結合、ホスホジエステル結合またはハイドラゾーン結合などの共有結合であることが好ましい。
【００１４】
本発明において、ナノ粒子に捕集させる生理活性成分は、上記高分子内に可溶化され得る有効成分であって、特別な制限はないが、特に、不溶性物質で、その間剤型化が難しかった人参から由来したジンセノサイド、コエンチームＱ１０、または、発毛及び育毛成分などが含まれている。
【００１５】
例えば、大黄、ゲニステイン、ヘスペリチン、ヘスペリジン、カテキン、イソフラボン、ダナゾール（Ｄａｎａｚｏｌ）、ハロペリドール（Ｈａｌｏｐｅｒｉｄｏｌ）、フロセミド（Ｆｕｒｏｓｅｍｉｄ）、イソソルビド・ジニトレート（Ｉｓｏｓｏｒｂｉｄｅ  ｄｉｎｉｔｒａｔｅ）、クロラムフェニコール（Ｃｈｌｏｒａｍｆｅｎｉｃｏｌ）、スルファメトキサゾール（Ｓｕｌｆａｍｅｔｈｏｘａｚｏｌｅ）、カフェイン（Ｃａｆｆｅｉｎｅ）、シメチジン（Ｃｉｍｅｔｈｉｄｉｎｅ）、ソジウムジクロフェナク（ＤｉｃｌｏｆｅｎａｃＮａ）、コエンチームＱ１０（Ｃｏｅｎｚｙｍｅ  Ｑ１０）、ビタミンＥ及びその誘導体、ビタミンＡ及びその誘導体、プロビタミンＤ３及びその誘導体、ウルソル酸（Ｕｒｓｏｌｉｃ  ａｃｉｄ）、オレアノール酸（Ｏｌｅａｎｏｌｉｃ  ａｃｉｄ）、ロスマリン酸（Ｒｏｓｍａｒｉｎｉｃ  ａｃｉｄ）、１８−ベータグリシルレチン酸（１８  ｂｅｔａ−ｇｌｙｃｙｒｒｈｅｔｉｎｉｃ  ａｃｉｄ）、グラブリジン（Ｇｌａｂｒｉｄｉｎ）、アリューリット酸（Ａｌｅｕｒｉｔｉｃ  ａｃｉｄ）、ポリフェノール（Ｐｏｌｙｐｈｅｎｏｌ）、エスクリン（Ｅｓｃｕｌｉｎ）、エピガロカテキンガレート［（−）Ｅｐｉｇａｌｌｏｃａｔｅｃｈｉｎｇａｌｌａｔｅ］、ターメリック酸（Ｔｕｒｍｅｒｉｃ  ａｃｉｄ）、ジンセノサイド（Ｇｉｎｓｅｎｏｓｉｄｅｓ）、テトラハイドロクルクミノイド（Ｔｅｔｒａ  ｈｙｄｒｏｃｕｒｃｕｍｉｎｏｉｄｓ）、センテラ・アジアティカ（Ｃｅｎｔｅｌｌａ  ａｓｉａｔｉｃａ）、ベータ−カロチン（ｂｅｔａ  ｃａｒｏｔｅｎｅ）、アジアティコサイド（Ａｓｉａｔｉｃｏｓｉｄｅ）、ファルネソール（Ｆａｒｎｅｓｏｌ）、ベータ−シトステロール（ｂｅｔａ−ｓｉｔｏｓｔｅｒｏｌ）、リノール酸（Ｌｉｎｏｌｅｉｃ  ａｃｉｄ）、ガンマリノール酸（ｇａｍｍａｌｉｎｏｌｅｎｉｃ  ａｃｉｄ）、レスベラトロル（Ｒｅｓｖｅｒａｔｒｏｌ）、ビネアトロール（Ｖｉｎｅａｔｒｏｌ）、イチョウ葉（Ｇｉｎｋｇｏ  ｂｉｌｏｂａ）、トリクロサン（Ｔｒｉｃｌｏｓａｎ）、ミノキシジル（Ｍｉｎｏｘｉｄｉｌ）、天然精油、セラミド、スフィンゴシン、柏子仁（Ｔｈｕｊａｅ  ｏｃｃｉｄｅｎｔａｌｉｓ）抽出物、何首烏（ｐｏｌｙｇｏｎｉ  ｍｕｌｔｉｆｌｏｒｉ  Ｒａｄｉｘ）抽出物、甘草（Ｇｌｙｃｙｒｒｈｉｚａ  ｕｒａｌｅｎｓｉｓ）抽出物、鳩麦（Ｃｏｉｘ  ｌａｃｈｒｙｍａ−ｊｏｂｉ  ｖａｒ．  ｍａ−ｙｕｅｎ）抽出物、フィナステライドまたはジンセノサイドなどを含む。
【００１６】
特に、人参のサポニン成分のうち、アグリコンに糖（グルコース）が１個付着した構造よりなるジンセノサイド（化学式３）、特にＲｈ１、Ｒｈ２、Ｆ１（化学式４ａ）、化合物Ｋ（化学式４ｂ）、及び糖が２個付着した構造よりなる２０−Ｏ−［−Ｌ−アラビノピラノシル（１→６）−Ｄ−グルコピラノシル］−２０（Ｓ）−プロトパナックサジオル(proto panaxadiol)などが癌細胞増殖抑制作用、腫よう増殖抑制作用、抗ガン剤の抗癌活性増大作用などの薬理作用があると知られている。
【化３】
2007520576.tif 000005
【００１７】
上記化学式３で、Ｒ１、Ｒ３は、糖またはＨであり、Ｒ２は、糖、ＨまたはＯＨである。但し、Ｒ１、Ｒ２、Ｒ３のうち少なくとも１つは、糖である。ジンセノサイドは、人参サポニン成分であり、制限なく適用可能である。すなわち、人参から抽出された状態そのまま、またはこれを生転換して使用することができる。
好ましくは、下記化学式４ａ又は４ｂで表されるジンセノサイドを使用することができる。
【化４】
2007520576.tif 000006
【化５】
2007520576.tif 000007
【００１８】
また、下記化学式５で表されるコエンチームＱ１０を本発明に係る自己集合性ナノ粒子に捕集することによって有用に利用することができる。
【化６】
2007520576.tif 000008
【００１９】
一方、本発明に係る自己集合性ナノ粒子は、発毛または育毛用活性に優れているが、剤型化が難しかった成分を捕集するのに有用に適用されることができる。このような発毛または育毛用成分には、例えば、フィナステライド（ｆｉｎａｓｔｅｒｉｄｅ）、ミノキシジル（ｍｉｎｏｘｉｄｉｌ）、柏子仁（Ｔｈｕｊａｅ  ｏｃｃｉｄｅｎｔａｌｉｓ）抽出物、何首烏（ｐｏｌｙｇｏｎｉ  ｍｕｌｔｉｆｌｏｒｉ  Ｒａｄｉｘ）抽出物、甘草（Ｇｌｙｃｙｒｒｈｉｚａｕｒａｌｅｎｓｉｓ）抽出物、鳩麦（Ｃｏｉｘ  ｌａｃｈｒｙｍａ−ｊｏｂｉ  ｖａｒ．  ｍａ−ｙｕｅｎ）抽出物、イソフラボン（ｉｓｏｆｌａｖｏｎｅ）、ゲニステイン（Ｇｅｎｉｓｔｅｉｎ）、ヘスペリチン（Ｈｅｓｐｅｒｅｔｉｎ）、ヘスペリジン（Ｈｅｓｐｅｒｉｄｉｎｅ）、カテキン（Ｃａｔｅｃｈｉｎ）、ビタミンＥ及びその誘導体、ビタミンＡ及びその誘導体、プロビタミンＤ３及びその誘導体、ウルソル酸（Ｕｒｓｏｌｉｃ  ａｃｉｄ）、オレアノール酸（Ｏｌｅａｎｏｌｉｃ  ａｃｉｄ）、ロスマリン酸（Ｒｏｓｍａｒｉｎｉｃ  ａｃｉｄ）、１８−ベータグリシルレチン酸（１８−ｂｅｔａ−ｇｌｙｃｙｒｒｈｅｔｉｎｉｃ  ａｃｉｄ）、ファルネソール（Ｆａｒｎｅｓｏｌ）、ベータ−シトステロール（ｂｅｔａ−ｓｉｔｏｓｔｅｒｏｌ）、リノール酸（Ｌｉｎｏｌｅｉｃ  ａｃｉｄ）、ガンマリノール酸（ｇａｍｍａ  ｌｉｎｏｌｅｎｉｃ  ａｃｉｄ）、レスベラトロル（Ｒｅｓｖｅｒａｔｒｏｌ）、セラミド、スフィンゴシンなどが挙げられる。
【００２０】
特に、シクロスポリン（Ｃｙｃｌｏｓｐｏｒｉｎ）は、代表的な免疫抑制剤として知られていて、実際に臓器移植患者に経口投与したり、乾癬治療などに多く使われ、円形脱毛症患者に塗布用法で使用された例があり、動物実験段階でも、多様な育毛活性が報告されている。発毛または育毛促進物質であるフィナステライド（ｆｉｎａｓｔｅｒｉｄｅ）もやはり代表的な第２型５アルファ（α）−還元酵素に対する特異的阻害剤であって、経口投与して血中テストステロンからジハイドロテストステロン（ＤＨＴ；ｄｉｈｙｄｒｏｔｅｓｔｏｓｔｅｒｏｎｅ）に転換されるのを防いで前立腺治療剤と男性用脱毛防止剤として利用している。前述のような難溶性の生理活性有効成分は、本発明の技術分野における当業者なら容易に購入または製作して使用することができる。特に、植物抽出物の場合、公知の技術を用いて抽出及び製作して使用することができる。
【００２１】
生理活性成分を含有する本発明の自己集合性高分子ナノ粒子の製造方法は、
（ａ）疎水性ポリエステル高分子であるポリカプロラクトンと親水性高分子であるポリエチレングリコールのブロック共重合体よりなる両親媒性高分子を製造する段階と
（ｂ）上記両親媒性高分子と生理活性成分を有機溶剤に溶解させて攪拌する段階と、
（ｃ）上記（ａ）及び（ｂ）段階を経て製造した混合溶液を水溶液相に投入してナノ粒子を形成する段階と、
（ｄ）有機溶剤を除去する段階と、を含む。
【００２２】
ナノ粒子の内部に捕集する生理活性成分の含量は、目的と場合に応じて調節して使用することができ、一般的に、ナノ粒子の総重量に対して１乃至５０重量％を使用することが好ましく、より好ましくは、２０乃至５０重量％を使用する。一般的に、５０％以上を使用する場合、効果的な捕集が不可能であり、有効成分が粒子の外部に流出されて、結晶型に凝集されたり、変成され、変色または変臭の原因になることができる。
【００２３】
製造されたナノ粒子の平均粒径は、１乃至１，０００ナノメータであり、より好ましくは、１０乃至５００ナノメータである。
【００２４】
本発明で提示するＰＣＬ−ＰＥＧ共重合体を用いて水溶液内で生理活性成分が捕集された自己集合性高分子ナノ粒子を形成する方法としては、上記ＰＣＬ−ＰＥＧ共重合体高分子をすぐに水溶液に分散させた後、超音波を加える方法、高分子を有機溶媒に分散または溶解させた後、過量の水で有機溶媒を抽出または蒸発させる方法、高分子を有機溶媒に分散または溶解させた後、均質器または高圧乳化器を用いて強く攪拌し、溶媒を蒸発させる方法、高分子を有機溶媒に分散または溶解させた後、過量の水で透析する方法、高分子を有機溶媒に分散または溶解させた後、徐々に水を添加する方法などが挙げられる。
【００２５】
本発明で提示する生分解性ＰＣＬ−ＰＥＧ共重合体を用いて水溶液内で高分子ナノ粒子を形成する場合、使用可能な有機溶剤は、アセトン、ジメチルスルホキシド、ジメチルホルムアミド、Ｎ−メチルピロリドン、ジオクサン、テトラヒドロフラン、エチルアセテート、アセトニトリル、メチルエチルケトン、メチレンクロライド、クロロホルム、メタノール、エタノール、エチルエーテル、ジエチルエテール、ヘキサン、ペトロリウムエーテルから選択された１種またはこれらを混合した溶媒を使用することができる。
【００２６】
このような製造方法により製造する場合、生理活性成分が自己集合性高分子粒子の疎水性コア部分に捕集され、粒子の表面には親水性高分子鎖が配向され、水相に安定に分散される。分散されたナノ粒子は、高分子の組成及び製造方法に応じて数十乃至数百ナノメータの粒径を有し、コロイド安定性に優れていて、このナノ粒子を皮膚外用剤に添加した時、生理活性成分が直接乳化製品やスキン製品に接触しないので、製品自体も安定しているだけでなく、クリーム、乳液、化粧水など多様な剤型の化粧料組成物に利用することができる。このように製造されたナノ粒子が多量含有された皮膚外用剤は、生理活性有効成分が有する皮膚改善効果をそのまま有しているものと判明され、特に、皮膚、頭皮及び毛嚢吸収能力が増進されたことを発見した。さらに、ナノ粒子の製造に使用した自己集合性両親媒性高分子は、生体親和性物質であって、生体内で安全に生分解されるので、人体に無害であるという長所がある。
【００２７】
本発明の外用剤組成物は、その剤型化において特別に限定されず、ヘアトニック、スカルプトリートメント、ヘアークリーム、一般軟膏剤、柔軟化粧水、収斂化粧水、栄養化粧水、アイクリーム、栄養クリーム、マッサージクリーム、クレンジングクリーム、クレンジングフォーム、クレンジングウォーター、パウダー、エッセンス、パック、ボディーローション、ボディークリーム、ボディーオイル、ボディーエッセンス、メイカップベース、ファウンデーション、毛染め剤、シャンプー、リンス、ボディー洗浄剤、歯磨き粉、口腔清浄剤、ローション、ジェル、パッチまたは噴霧剤などに剤型化することができる。また各剤型の化粧料組成物において皮膚及び毛髪改善原料として、上記高分子を容易に溶かすことができる溶媒に溶ける成分を、化粧料の剤型または使用目的に応じて当業者が何らの困難性無く適宜選定して使用することができる。
【００２８】
以下、実施例及び試験例により本発明を詳細に説明する。但し、これらの実施例は、本発明の例示的な記載に過ぎないもので、本発明の範囲がこれらの実施例により限定されるものではない。
【００２９】
［参照例１］ジンセノサイド（人参精製サポニン）の製造
人参（紅参）２ｋｇに水、水を含むエタノール４Ｌを入れ、３回還流して各々抽出した後、１５℃で６日間浸漬させた。その後、濾過布を用いた濾過と遠心分離により残渣と濾液を分離し、分離された濾液を減圧濃縮して得たエキスを水に懸濁した後、エーテル１Ｌで５回抽出して色素を除去し、水層を１−ブタノール５００ｍＬで３回抽出した。得られた総１−ブタノール層を５％ＫＯＨで処理した後、蒸留水で洗浄した後、減圧濃縮して１−ブタノールエキスを得、これを少量のメタノールに溶かした後、大量のエチルアセテートに追加し、生成された沈殿物を乾燥することによって、人参精製サポニン１００ｇ（収率：５％）を得た。
【００３０】
［参照例２］酵素加水分解方法を用いた酵素処理ジンセノサイド（紅参サポニン）の製造
参照例１で得た人参精製サポニン１０ｇを１００ｍＬのシートレート緩衝溶液（ｐＨ５．５）に溶解させ、ここにペニシリウム属から分離したナリンジナーゼ酵素１ｇとアスペルギルス属から分離したペクチナーゼ酵素１ｇを添加し、４０℃水浴上で４８時間攪拌させながら反応させた。薄層クロマトグラフィにより周期的に確認し、基質が完全に消失されれば、熱水中で１０分間加熱し、反応を終了させた。次に、反応液は、同量のエーテルで３回抽出後、濾過、濃縮して、コンパウンド（化合物）Ｋ  ４４０ｍｇとジンセノサイドＦ１  １５０ｍｇを含有し、その他に糖が１〜４個付着した多様なジンセノサイドよりなる酵素処理人参（紅参）サポニン１，０５０ｍｇ（収率１０．５％）を得た。
【００３１】
［製造例１〜９］ＰＣＬ−ＰＥＧブロック共重合体の製造
本製造例では、下記の実施例で使用するＰＣＬ−ＰＥＧ二重ブロック共重合体の製造方法を参照用に記述するところ、本発明が製造例に記述された場合の共重合体にだけ制限されるものではない。
【００３２】
本発明のＰＣＬ−ＰＥＧ二重ブロック共重合体は、カプロラクトン単量体の開環重合により製造した。水酸化基と反応させてシラン化（ｓｉｌａｎｉｚａｔｉｏｎ）したヘクサメチルジシラジン（ｈｅｘａｍｅｔｈｙｌｄｉｓｉｌａｚｉｎｅ）を含有するガラスフラスコ中に、表１に示すような定量のメトキシＰＥＧ［以下、“ｍＰＥＧ”と言う（化学式５）］と触媒であるＳｎ（Ｏｃｔ）2（Ｓｉｇｍａ，Ｓｔ．Ｌｏｕｉｓ，ＭＯ，米国）を入れ、次いで、カプロラクトン単量体を注入した後、均一に混合した。ここで、上記ｍＰＥＧ（Ｆｌｕｋａ  Ｃｈｅｍｉｅ  ＧｍｂＨ、Ｂｕｃｈｓ，スイス）は、一方の末端をメトキシ（ｍｅｔｈｏｘｙ）基に置換させて、反応性がないように形成したもので、他方の末端の水酸化基だけが高分子重合体に参加することができる。
【化７】
2007520576.tif 000009
【００３３】
このような混合物が入っているフラスコは、真空ラインで連結されるようにし、真空状態に水分などを除去して密封した後、摂氏１２０度に放置しながら重合した。２４時間後、重合された高分子をメチレンクロライド（ｍｅｔｈｙｌｅｎｅｃｈｌｏｒｉｄｅ）に溶解させた後、過量のメタノールを用いて再結晶して、純粋なＰＣＬ−ＰＥＧ二重ブロック共重合体を得た。
【００３４】
かくして得られたＰＣＬ−ＰＥＧ二重ブロック共重合体の分子量は、ゲル透過クロマトグラフィ（ｇｅｌ  ｐｅｒｍｅａｔｉｏｎ  ｃｈｒｏｍａｔｏｇｒａｐｈｙ、以下、“ＧＰＣ”と言う）を用いて分析した。ここで使われたＧＰＣは、Ａｇｉｌｅｎｔ  １１０  ｓｅｒｉｅｓ（Ａｇｉｌｅｎｔ  Ｔｅｃｈｎｏｌｏｇｉｅｓ，ＰａｌｏＡｌｔｏ，ＣＡ，米国）として、Ｒｅｆｒａｃｔｉｖｅ  Ｉｎｄｅｘ（ＲＩ）ｄｅｔｅｃｔｏｒで高分子を検出し、コラムは、３個のＰＬｇｅｌコラム（３００×７．５ｍｍ、空隙のサイズ＝１０3、１０4及び１０5Å）を使用し、流速は、１．０ｍＬ／ｍｉｎであり、移動相（ｍｏｂｉｌｅ  ｐｈａｓｅ）には、テトラヒドロフラン（ｔｅｔｒａｈｙｄｒｏｆｕｒａｎ；ＴＨＦ）を使用した。
【００３５】
【表１】
2007520576.tif 000010
【００３６】
［製造例１０〜１１］ポリカプロラクトン−ｃｏ−ポリエチレングリコールブロック共重合体の製造
乾燥した５０ｍＬフラスコに、一方の末端がヒドロキシ基であるモノメトキシポリエチレングリコール（分子量５，０００）１０ｇとカプロラクトン単量体１０ｇを各々添加し、触媒としてオクチル酸スズ０．０５ｇを添加した。テフロン（登録商標）でコーティングされたマグネチックバーをフラスコに入れ、反応物が満たされたフラスコに真空を３０分間加えた後、密封した。密封したフラスコを１５０℃のオイル槽に入れ、約６時間重合を進行した。
重合が終了したフラスコ内の混合液は、固い固体相であって、メチレンクロライド２０ｍＬを加えて完全に溶解させた後、過量のエチルエーテルに沈殿させた。この過程を３回反復して未反応の単量体とオリゴマーを除去した。沈殿により得られた試料は、常温で１２時間減圧乾燥し、最終的にポリカプロラクトン−ブロック−ポリエチレングリコールブロック共重合体１７．３ｇを得た。
【００３７】
水素（1Ｈ）核磁気共鳴分析からモノメトキシポリエチレングリコールの末端にカプロラクトンが開環されて共重合体を形成したことを確認した。モノメトキシポリエチレングリコールとポリカプロラクトンに該当するピークの積分比から、数平均分子量が約９，２００であることを確認した。
【００３８】
末端基に１次アミン基を有するポリエチレングリコール（Ｏ，Ｏ’−Ｂｉｓ−（ａｍｉｎｏｐｒｏｐｙｌ）ｐｏｌｙｐｒｏｐｙｌｅｎｅ  ｇｌｙｃｏｌ−ｂｌｏｃｋ−ｐｏｌｙｅｔｈｙｌｅｎｅ  ｇｌｙｃｏｌ−ｂｌｏｃｋ−ｐｏｌｙｐｒｏｐｙｌｅｎｅ  ｇｌｙｃｏｌ；重量平均分子量１，９００）１００ｇとアセトン２０ｇを５００ｍＬ反応容器に投入した後、９０℃に加熱して溶融した。上記溶融液を１００℃に加熱した後、ポリ−カプロラクトン（重量平均分子量８０，０００）１００ｇを入れ、１００ｒｐｍで１時間攪拌した。均一溶液を製造し、３００ｒｐｍで５時間攪拌を実施した後、常温に冷却した。反応が終結した重合体を三次蒸留水に分散、攪拌して、未反応のポリエチレングリコールを抽出して分離精製し、この過程を３回反復して、ポリエチレングリコールとポリ−カプロラクトンのブロック共重合体１８８ｇを得た。
【００３９】
［製造例１２〜１３］ポリエチレングリコールとポリ−Ｄ，Ｌ−乳酸−ｃｏ−グリコール酸ブロック共重合体の製造
乾燥した２０ｍＬフラスコに、一方の末端がヒドロキシ基であるモノメトキシポリエチレングリコール（分子量５，０００）５ｇとＤ，Ｌ−乳酸７ｇ、グリコール酸３ｇを各々添加し、触媒としてオクチル酸スズ０．０２５ｇを添加した。テフロン（登録商標）でコーティングされたマグネチックバーをフラスコに入れ、反応物が満たされたフラスコに真空を３０分間加えた後、密封した。密封したフラスコを１３０℃のオイル槽に入れ、約６時間重合を進行した。
【００４０】
重合が終了したフラスコ内の混合液は、固い固体相であって、メチレンクロライド２０ｍＬを加えて完全に溶解させた後、過量のエチルエーテルに沈殿させた。この過程を３回反復して未反応の単量体とオリゴマーを除去した。沈殿により得られた試料は、常温で１２時間減圧乾燥し、最終的にポリエチレングリコールとポリ−Ｄ，Ｌ−乳酸−ｃｏ−グリコール酸ブロック共重合体１２．７ｇを得た。
【００４１】
水素（1Ｈ）核磁気共鳴分析からモノメトキシポリエチレングリコールの末端にＤ，Ｌ−乳酸とグリコール酸が開環されて共重合体を形成したことを確認した。ゲル透過クロマトグラフィで分析した結果、数平均分子量が約１２，５００であることを確認した。
【００４２】
末端基に１次アミン基を有するポリエチレングリコール（Ｏ，Ｏ’−Ｂｉｓ−（ａｍｉｎｏｐｒｏｐｙｌ）ｐｏｌｙｐｒｏｐｙｌｅｎｅ  ｇｌｙｃｏｌ−ｂｌｏｃｋ−ｐｏｌｙｅｔｈｙｌｅｎｅ  ｇｌｙｃｏｌ−ｂｌｏｃｋ−ｐｏｌｙｐｒｏｐｙｌｅｎｅ  ｇｌｙｃｏｌ；重量平均分子量９００）２ｇを５０ｍＬ反応容器に投入した後、９０℃に加熱して溶融した。上記溶融液を１００℃に加熱した後、ポリ−Ｄ，Ｌ−乳酸−ｃｏ−グリコール酸（ＲＧ５０２、ベーリンガーインゲルハイム；重量平均分子量１１，０００）２０ｇを入れ、１００ｒｐｍで１時間攪拌した。均一溶液を製造し、３００ｒｐｍで３時間攪拌を実施した後、常温に冷却した。反応が終結した重合体を三次蒸留水に分散、攪拌して、未反応のポリエチレングリコールを抽出して分離精製し、この過程を３回反復してポリエチレングリコールとポリ−Ｄ，Ｌ−乳酸−ｃｏ−グリコール酸のブロック共重合体２０．４ｇを得た。
【００４３】
［製造例１４］ポリ−Ｄ，Ｌ−乳酸−ｃｏ−ポリエチレングリコールブロック共重合体の製造
乾燥した２０ｍＬフラスコに、一方の末端がヒドロキシ基であるモノメトキシポリエチレングリコール（分子量５，０００）５ｇとＤ，Ｌ−乳酸１０ｇを各々添加し、触媒としてオクチル酸スズ０．０２５ｇを添加した。テフロン（登録商標）でコーティングされたマグネチックバーをフラスコに入れ、反応物が満たされたフラスコに真空を３０分間加えた後、密封した。密封したフラスコを１３０℃のオイル槽に入れ、約６時間重合を進行した。
【００４４】
重合が終了したフラスコ内の混合液は、固い固体相であって、メチレンクロライド２０ｍＬを加えて完全に溶解させた後、過量のエチルエーテルに沈殿させた。この過程を３回反復して未反応の単量体とオリゴマーを除去した。沈殿により得られた試料は、常温で１２時間減圧乾燥し、最終的にポリ−Ｄ，Ｌ−乳酸−ブロック−ポリエチレングリコールブロック共重合体１３．１ｇを得た。
【００４５】
水素（1Ｈ）核磁気共鳴分析からモノメトキシポリエチレングリコールの末端にＤ，Ｌ−乳酸が開環されて共重合体を形成したことを確認した。ゲル透過クロマトグラフィで分析した結果、数平均分子量が約１３，７００であることを確認した。
【００４６】
［製造例１５］枝状ポリエチレンイミンとポリ−カプロラクトンブロック共重合体の製造
末端基に１次アミン基を有する枝状ポリエチレンイミン（重量平均分子量６００）２ｇを５０ｍＬ反応容器に入れた後、９０℃に加熱して溶融した。上記溶融液を１００℃に加熱した後、ポリ−カプロラクトン（重量平均分子量８０，０００）２０ｇを入れ、１００ｒｐｍで１時間攪拌した。均一溶液が製造された後、３００ｒｐｍで３時間攪拌を実施した後、常温に冷却した。反応が終結した重合体を三次蒸留水に分散、攪拌し、未反応のポリエチレンイミンを抽出して分離精製し、この過程を３回反復してポリエチレンイミンとポリ−カプロラクトンブロック共重合体２１．２ｇを得た。
【００４７】
［製造例１６］線状ポリエチレンイミンとポリ−カプロラクトンブロック共重合体
末端基に１次アミン基を有する線状ポリエチレンイミン（重量平均分子量４００）２ｇを５０ｍＬ反応容器に入れた後、９０℃に加熱して溶融した。上記溶融液を１００℃に加熱した後、ポリ−カプロラクトン（重量平均分子量８０，０００）２０ｇを入れ、１００ｒｐｍで１時間攪拌した。均一溶液を製造して３００ｒｐｍで５時間攪拌を実施した後、常温に冷却した。反応が終結した重合体を三次蒸留水に分散、攪拌して未反応のポリエチレンイミンを抽出して分離精製し、この過程を３回反復してポリエチレンイミンとポリ−カプロラクトンブロック共重合体１９．１ｇを得た。
【００４８】
［実施例１−２０］ポリカプロラクトン−ポリエチレングリコール二重ブロック共重合体を用いて製造したジンセノサイド含有高分子ナノ粒子の製造
ポリカプロラクトン−ポリエチレングリコール二重ブロック共重合体（全体重量平均分子量＝１０，０００ダルトン、ポリカプロラクトン：ポリエチレングリコール重量比＝１：１）とジンセノサイドを５０ｍＬの適切な有機溶剤に均一に溶解させた後、５０ｍＬの水溶液相に投入すれば、自発的な自己集合過程によりナノ粒子が形成された。有機溶剤は、蒸発または透析などの方法により除去して、ジンセノサイドが含有されたナノ粒子水溶液を得た。実施例で使われたジンセノサイドは、参照例１、２により製造されたもので、人参Ｐａｎａｘ  ｇｉｎｓｅｎｇ  Ｃ．  Ａ．  Ｍｅｙｅｒ（Ａｒａｌｉａｃｅａｅ）から抽出したサポニンを酵素処理して得たものである。
【００４９】
【表２】
2007520576.tif 000011
【００５０】
［実施例２１〜４０］ＰＣＬ−ＰＥＧ二重ブロック共重合体を用いて製造したコエンチームＱ１０含有高分子ナノ粒子の製造
ＰＣＬ−ＰＥＧ二重ブロック共重合体（全体重量平均分子量＝１０，０００ダルトン、ＰＣＬ：ＰＥＧ重量比＝１：１）とコエンチームＱ１０を下記表２に記載された５０ｍＬの有機溶媒に均一に溶解させた後、５０ｍＬの水溶液相に投入したところ、自発的な自己集合過程によりナノ粒子が形成された。下記表３に記載された有機溶媒の除去方法に基づいて、蒸発または透析などの方法により有機溶媒を除去した後、コエンチームＱ１０が含有されたナノ粒子水溶液を得た。コエンチームＱ１０含有高分子ナノ粒子の製造条件は、下記表３に示した。
【００５１】
【表３】
2007520576.tif 000012
【００５２】
［実施例４１〜４３］柏子仁抽出物を含有するナノ粒子の製造
５０ｇのアセトンにポリカプロラクトンとポリエチレングリコールの重量比が１：１であるポリカプロラクトン−ブロック−ポリエチレングリコール（数平均分子量９，２００）ブロック共重合体と柏子仁抽出物を表４に記載された量で各々投入し、攪拌し、均一に溶解した。溶解されたことを確認した後、これを５０ｇの蒸留水にゆっくり投入しながら攪拌した。約１分間攪拌し、これを５０〜６０℃に加温しながら攪拌してアセトンを蒸発させ、最終的に柏子仁抽出物が含有されたナノ粒子分散液を製造した。
【００５３】
【表４】
2007520576.tif 000013
【００５４】
［実施例４４］ミノキシジルを含有するナノ粒子の製造
アセトン２５ｇ及びエタノール２５ｇが混合された共溶媒にポリ−Ｄ，Ｌ−乳酸−ブロック−ポリエチレングリコール（数平均分子量１３，７００）ブロック共重合体２．５ｇとミノキシジル０．２５ｇを投入して攪拌し、均一に溶解した。完全に溶解されたことを確認した後、これを５０ｇの蒸留水にゆっくり投入しながら攪拌した。約１分間攪拌し、これを５０〜６０℃に加温しながら攪拌してアセトンを蒸発させ、最終的にミノキシジルが２．５％含有されたナノ粒子分散液を製造した。
【００５５】
［実施例４５〜４７］ポリカプロラクトン−ポリエチレングリコール二重ブロック共重合体を用いて製造した発毛及び育毛生理活性成分であるフィナステライド含有高分子ナノ粒子の製造
ポリカプロラクトン−ポリエチレングリコール二重ブロック共重合体（全体重量平均分子量＝１０，０００ダルトン、ポリカプロラクトン：ポリエチレングリコール重量比＝１：１）とフィナステライドを５０ｍＬの適切な有機溶剤に均一に溶解する。完全に溶解されたことを確認した後、これを５０ｍＬの水溶液上にゆっくり投入しながら攪拌し、自発的な自己集合過程によりナノ粒子を形成させる。約１分間追加攪拌した後、有機溶剤は、蒸発または透析などの方法により除去し、フィナステライドが含有されたナノ粒子水溶液を得た。フィナステライドを含有するナノ粒子の製造詳細条件を表５に示した。
【００５６】
【表５】
2007520576.tif 000014
【００５７】
［実施例４８−５９］ポリカプロラクトン−ポリエチレングリコール二重ブロック共重合体を用いて製造した発毛及び育毛生理活性成分であるシクロスポリン含有高分子ナノ粒子の製造
ポリカプロラクトン−ポリエチレングリコール二重ブロック共重合体（全体重量平均分子量＝１０，０００ダルトン、ポリカプロラクトン：ポリエチレングリコール重量比＝１：１）とシクロスポリンを表６の組成の各々５０ｍＬの適切な有機溶剤に均一に溶解させた後、５０ｍＬの水溶液上に投入すれば、自発的な自己集合過程によりナノ粒子が形成される。有機溶剤は、蒸発または透析などの方法により除去し、シクロスポリンが含有されたナノ粒子水溶液を得た。
【００５８】
【表６】
2007520576.tif 000015
【００５９】
［試験例１］ナノ粒子の動的光散乱によるサイズ測定
英国Ｍａｌｖｅｒｎ社のＺｅｔａｓｉｚｅｒ  ３０００Ｈｓａを用いて実施例１〜５９で製造したナノ粒子の平均粒子サイズを測定した。散乱角は、９０度に固定し、温度は、２５℃に維持しながら測定し、その結果を表７に示した。
【００６０】
【表７】
2007520576.tif 000016
【００６１】
［試験例２］ジンセノサイド含有ナノ粒子の皮膚吸収率測定
有毛ギニーピッグの皮膚を切り取り、これを皮膚吸収実験装置（フランツ透過セル：Ｆｒａｎｚ−ｄｉｆｆｕｓｉｏｎ  ｃｅｌｌ）に固定した後、上部に表８のように３種類の試料を加え、下部は、適切な組成の緩衝溶液で攪拌して、１８時間３２℃を維持させた後、皮膚内に浸透したジンセノサイドに含まれたコンパウンドＫの量を液体クロマトグラフィで測定し、比較定量した。
【００６２】
【表８】
2007520576.tif 000017
【００６３】
上記実験結果、本発明で提供するナノ粒子である実施例３が微細乳化剤型に比べて１５９％高い皮膚吸収率を有することが分かった。
【００６４】
［試験例３］コエンチームＱ１０含有高分子ナノ粒子の皮膚吸収率測定
有毛ギニーピッグの皮膚を切り取り、これを皮膚吸収実験装置（Ｆｒａｎｚ−ｄｉｆｆｕｓｉｏｎ  ｃｅｌｌ）に固定した後、上部に表９のように３種類の試料を加え、下部は、適切な組成の緩衝溶液で攪拌して１８時間３２℃を維持させた後、皮膚内に浸透したコエンチームＱ１０の量を液体クロマトグラフィで定量した。効果比較のために、１％のコエンチームＱ１０が含有されたリポソームに対して同様の試験を実施した。
【００６５】
【表９】
2007520576.tif 000018
【００６６】
表９から分かるように、本発明で提供するコエンチームＱ１０含有高分子ナノ粒子がリポソームに比べて１５９％高い皮膚吸収率を示す。
【００６７】
［試験例４］ミノキシジル含有ナノ粒子の皮膚吸収測定実験
実施例４４を製造する過程でルブレン（Ｒｕｂｒｅｎe）という蛍光物質を探索物質として添加してナノ粒子を形成した後、除毛した有毛ギニーピッグの皮膚とハムスターの側腹器官（Ｆｌａｎｋ  Ｏｒｇａｎ）に閉鎖貼布を６時間各々行った。得られた生検組織を４０μｍの厚さに切って冷凍切片（Ｃｒｙｏｓｅｃｔｉｏｎ）を得、ＤＡＰＩで染色して有核細胞を表示し、皮膚内、すなわち毛嚢を介して浸透したルブレン蛍光物質を共焦点レーザ走査顕微鏡（Ｃｏｎｆｏｃａｌ  Ｌａｓｅｒ  Ｓｃａｎｎｉｎｇ  Ｍｉｃｒｏｓｃｏｐｙ；Ｚｅｉｓｓ）を用いて読み取った。
【００６８】
上記実験結果、ナノ粒子化しているミノキシジル含有ナノ粒子が皮膚の外側表面で一定の濃度勾配をもって吸収されていないし、毛嚢の周辺に濃度勾配が形成されながら毛嚢を介して薬物伝達がなされていることが分かった。
【００６９】
［試験例５］シクロスポリンを含有する高分子ナノ粒子の皮膚吸収率測定
有毛ギニーピッグの皮膚を切り取り、これを皮膚吸収実験装置（Ｆｒａｎｚ−ｄｉｆｆｕｓｉｏｎ  ｃｅｌｌ）に固定した後、上部に表１０のように３種類の試料を加え、下部は、適切な組成の緩衝溶液で攪拌して１８時間３２℃を維持させた後、皮膚内に浸透したシクロスポリンの量を液体クロマトグラフィで定量した。
【００７０】
【表１０】
2007520576.tif 000019
【００７１】
上記実験結果、本発明で提供するナノ粒子である実施例５１の場合がリポソームに比べて１５９％高い皮膚吸収率を有することが分かった。
【００７２】
［試験例６］マウスを用いたミノキシジル含有ナノ粒子ベースの毛髪生長効果試験
上記実施例で製造されたナノ粒子ベースの発毛促進効能をナノ粒子で捕集しないその他の発毛促進効能物質と比較し、本発明に係るナノ粒子の毛髪生長効果をテストした。
生後４７〜５３日目のマウス（Ｃ５７ＢＬ／６）の背中部位の毛を除去し、背中部位の皮膚がきれいなものを取り出して、物質群毎に１０匹ずつを選定し、毎日上記本発明の試験抽出物及びナノ粒子ベース液を個体当たり１００μＬずつ塗布した。
【００７３】
時間経過による毛髪の長さ及び毛髪生長程度を毛去後の復元程度によって０から３まで点数を付加し、各々比較した。毛髪生長程度を比較するために、対照群には、３０％アルコール溶液を各個体に塗布し、毛髪の生長状態を観察した。その結果を表１１に示した。
【００７４】
【表１１】
2007520576.tif 000020
【００７５】
以上の結果から、上記実施例４４のミノキシジルを含有している本発明のナノ粒子の場合、同一濃度のミノキシジルより顕著に優れた有意的な毛髪生長促進効果があることを確認することができ、実施例４１〜４３の柏子仁抽出物を含有する本発明のナノ粒子も柏子仁抽出物より一層優れた毛髪生長促進効果があることを確認することができる。一方、実施例４１〜４３までの結果を比較した結果、捕集される有効成分の濃度とナノ粒子の比が実質的な発毛または育毛促進に重要な影響を及ぼすことが分かった。
【００７６】
［試験例７］マウスを用いたフィナステライド含有ナノ粒子ベースの毛髪生長効果試験
実施例４５〜４７のナノ粒子ベースを、ナノ粒子で捕集しない発毛促進効能物質と比較して、毛髪生長効果をテストした。
生後４７乃至５３日目のマウス（Ｃ５７ＢＬ／６）の背中部位の毛を除去し、背中部位の皮膚がきれいなものを取り出して、物質群毎に１０匹ずつを選定し、毎日上記本発明の試験抽出物及びナノ粒子ベース液を個体当たり１００μＬずつ塗布した。
【００７７】
時間経過による毛髪の長さ及び毛髪生長程度を毛除去後の復元程度によって点数を０から３まで付加し、各々比較した。毛髪生長程度を比較するために、陰性対照群には、３０％アルコール溶液にナノ粒子を含入したフィナステライドの同一容量（１％）を各個体に塗布し、毛髪の生長状態を観察し、陽性対照群は、陰性対照群の溶液にシクロスポリンを０．５％溶解して使用した。その結果を表１２に示した。
【００７８】
【表１２】
2007520576.tif 000021
【００７９】
以上の結果から、上記実施例による本発明のフィナステライドが含有されたナノ粒子の場合、０．５％のシクロスポリン含有の陽性対照群よりは弱かったが、エタノールに溶かした同一濃度のフィナステライド発毛促進物質より有意的な毛髪生長促進効果があることを確認することができた。
【００８０】
［試験例８］マウスを用いたシクロスポリンナノ粒子ベースの毛髪生長効果試験
上記実施例４８〜５９のナノ粒子ベースを、ナノ粒子で捕集しない発毛促進効能物質と比較して、毛髪生長効果をテストした。
生後４７乃至５３日目のマウス（Ｃ５７ＢＬ／６）の背中部位の毛を除去し、背中部位の皮膚がきれいなものを取り出して、物質群毎に１０匹ずつを選定し、毎日上記本発明の試験抽出物及びナノ粒子ベース液を個体当たり１００μＬずつ塗布した。
【００８１】
時間経過による毛髪の長さ及び毛髪生長程度を毛除去後の復元程度によって点数を０から３まで付加し、各々比較した。毛髪生長の程度を比較するために、対照群には、３０％アルコール溶液を各個体に塗布し、毛髪の生長状態を観察した。その結果を表１３に示した。
【００８２】
【表１３】
2007520576.tif 000022
【００８３】
以上の結果から、上記実施例による本発明に係るナノ粒子の場合、同一濃度の有効発毛促進物質より有意的な毛髪生長促進効果があることを確認することができ、実施例４８、５１及び５４の結果を比較すると、ナノ粒子と捕集される有効物質の濃度の比が実質的な発毛及び育毛促進に重要な影響を与えることが明らかにされた。
【００８４】
［試験例９］コエンチームＱ１０含有高分子ナノ粒子の皮膚細胞に対する抗酸化効果
試料濃度別に処理されたＨＣＳＳ（ＨＥＰＥＳ−ｂｕｆｆｅｒｅｄ  ｃｏｎｔｒｏｌ  ｓａｌｔ  ｓｏｌｕｔｉｏｎ）を皮膚真皮の繊維芽細胞に１００μＬ加えた後、初期にＲＯＳ（活性酸素種）に酸化されたジクロロフルオレセイン（ｄｉｃｈｌｏｒｏｆｌｕｏｒｅｓｃｅｉｎ；ＤＣＦ）の蛍光度を蛍光プレートリーダ（Ｅｘ＝４８５ｎｍ、Ｅｍ＝５３０ｎｍ）で測定した。その後、ＵＶＢ（３０ｍＪ／ｃｍ2）を照射し、処理直後及び処理３時間後の蛍光度を蛍光プレートリーダ（Ｅｘ＝４８５ｎｍ、Ｅｍ＝５３０ｎｍ）で測定した。効果比較のために、１％のコエンチームＱ１０が含有されたリポソームに対して同様の試験を実施した。表１４は、ＵＶを照射してから３時間後の蛍光度を、物質処理をしない対照群との％比較した結果である。
【００８５】
【表１４】
2007520576.tif 000023
【００８６】
表１４から分かるように、本発明で提供するコエンチームＱ１０含有高分子ナノ粒子のＲＯＳ生成抑制能がコエンチームＱ１０含有リポソームに比べて高い。
【００８７】
［試験例１０］ジンセノサイドを多量含有するナノ粒子の試験管内のコラーゲン生合成効能測定
人体の繊維芽細胞を２４孔平板培養器に培養した後、実施例３と下記の比較例１のように製造したナノ粒子と微細乳化粒子を順次に１／１００ずつ希釈して添加した。培養３日目、１０％の牛胎児血清が含有されたＤＭＥＭ培地を各０．５ｍＬずつ添加した後、Ｌ［２，３，４，５−３Ｈ］−プロリン１０マイクグラムＣｉを添加した。２４時間経過後、各ウェルに入っている培地と細胞を集めて５％のトリクロロ酢酸（ＴＣＡ：Ｔｒｉｃｈｌｏｒｏａｃｅｔｉｃ  ａｃｉｄ）溶液に入れ、水洗した後、２個の試験管に分株し、１個の試験管には、タイプＩコラーゲナーゼ（ｔｙｐｅ  Ｉ  ｃｏｌｌａｇｅｎａｓｅ）１ｕｎｉｔ／μＬを入れ、摂氏３７度の温度に９０分間培養し、他の試験管は、摂氏４度に保管した。
【００８８】
その後、全ての試験管に５０％ＴＣＡを０．０５ｍＬずつ添加し、摂氏４度に２０分間放置した後、各々１２０００ｒｐｍで１０分間遠心分離し、各々の上澄み液と沈殿物に対して液体シンチレーション計数器でＤＰＭ（Ｄｅｃａｙ  ｐｅｒ  ｍｉｎｕｔｅ）値を得、下記数学式１に基づいて同量のジンセノサイドに対して実施例３と比較例１のコラーゲン生合成値を求め、その結果を下記表１５に示した。
【数１】
2007520576.tif 000024
【００８９】
［比較例１］
（成分）
水添レシチン                    2.5
水添リゾホスファチジルコリン    0.15
プロピレングリコール            4.0
エタノール                      6.5
ジンセノサイド                  1.5
EDTA                            0.05
グリセリン                      4.0
ベタイン                        1.0
蒸留水                          to 100
【００９０】
【表１５】
2007520576.tif 000025
【００９１】
上記表１５の結果から、本発明で提供する高分子で捕集させたジンセノサイドナノ粒子は、そうでない場合に比べて向上したコラーゲン生合成促進効能を有することを確認することができた。
【００９２】
上記実施例を利用して下記のように各々の剤型を製造した。
【００９３】
［剤型例１〜９］クリーム剤型
実施例で製造したジンセノサイド含有ナノ粒子を含有する水中乳化剤型の組成は、下記表１６に示された通りである。
【００９４】
【表１６】
2007520576.tif 000026
【００９５】
［剤型例１０〜１８］柔軟化粧水剤型
実施例で製造したジンセノサイド含有ナノ粒子を含有する柔軟化粧水剤型の組成は、下記表１７に示された通りである。
【００９６】
【表１７】
2007520576.tif 000027
【００９７】
［剤型例１９〜２７］クリーム剤型
実施例２１、２４〜２６、２８、３０、３６〜３８で製造したコエンチームＱ１０含有ナノ粒子を含有する水中乳化剤型を、下記表１８に示した組成に基づいて製造した。
【００９８】
【表１８】
2007520576.tif 000028
【００９９】
［剤型例２８〜３６］スキン剤型
実施例２１〜２６、３５、３９、４０で製造した高分子ナノ粒子を含有するスキン剤型を、下記表１９に示した組成で製造した。
【０１００】
【表１９】
2007520576.tif 000029
【０１０１】
［試験例１１］剤型内におけるコエンチームＱ１０の長期保管安定性
上記剤型例２０に対してコエンチームＱ１０の長期保管安定性を確認した。２５℃、４５℃の恒温槽に保管しながら一定時期毎にサンプルを取ってコエンチームＱ１０の含量を定量した。効果を比較するために、実施例の高分子ナノ粒子の代りに、１％のコエンチームＱ１０が含有されたリポソームを含有するクリーム剤型を、上記表１８の組成に基づいて製造し、同様の試験を実施した。その結果を表２０に示した。
【０１０２】
【表２０】
2007520576.tif 000030
【０１０３】
表２０から分かるように、剤型内でコエンチームＱ１０の長期保管安定性は、本発明の高分子ナノ粒子内に捕集された状態がリポソーム内に捕集された状態に比べて一層優れている。これは、本発明の高分子ナノ粒子内にコエンチームＱ１０を捕集することによって、剤型内でコエンチームＱ１０の力価保存が可能であることを示唆する。
【０１０４】
［剤型例３７］スキン剤型
実施例４４で製造したミノシジル含有ナノ粒子を含有するスキン剤型の組成は、下記表２１に示された通りである。
【０１０５】
【表２１】
2007520576.tif 000031
【０１０６】
［剤型例３８］ヘアトニック
実施例４１〜４３で製造した柏子仁含有ナノ粒子及び実施例４４で製造したミノシジル含有ナノ粒子を含有するヘアトニックの組成は、下記表２２に示された通りである。
【０１０７】
【表２２】
2007520576.tif 000032
【０１０８】
［剤型例３９］ヘアリキッド剤型
実施例４１〜４３で製造した柏子仁含有ナノ粒子及び実施例４４で製造したミノシジル含有ナノ粒子を含有するヘアリキッド剤型の組成は、下記表２３に示された通りである。
【０１０９】
【表２３】
2007520576.tif 000033
【０１１０】
［剤型例４０］スカルプトリートメント剤型
実施例４１〜４３で製造した柏子仁含有ナノ粒子及び実施例４４で製造したミノシジル含有ナノ粒子を含有するスカルプトリートメント剤型の組成は、下記表２４に示された通りである。
【０１１１】
【表２４】
2007520576.tif 000034
【０１１２】
［剤型例４１］ヘアークリーム剤型
実施例４１〜４４で製造したナノ粒子を含有するヘアークリーム剤型の組成は、下記表２５に示された通りである。
【０１１３】
【表２５】
2007520576.tif 000035
【０１１４】
［剤型例４２］ヘアーゼル剤型
実施例４１〜４４で製造したナノ粒子を含有するヘアーゼル剤型の組成は、下記表２６に示された通りである。
【０１１５】
【表２６】
2007520576.tif 000036
【０１１６】
［剤型例４３］ヘアスプレー剤型
実施例４１〜４４で製造したナノ粒子を含有するヘアスプレー剤型の組成は、下記表２７に示された通りである。
【０１１７】
【表２７】
2007520576.tif 000037
【０１１８】
［剤型例４４］ヘアーシャンプー剤型
実施例４１〜４４で製造したナノ粒子を含有するヘアーシャンプー剤型の組成は、下記表２８に示された通りである。
【０１１９】
【表２８】
2007520576.tif 000038
【０１２０】
［剤型例４５］クリーム剤型
実施例４６で製造したナノ粒子を含有する水中乳化剤型の組成は、下記表２９に示された通りである。
【０１２１】
【表２９】
2007520576.tif 000039
【０１２２】
［剤型例４６］トニック剤型
実施例４６で製造したナノ粒子を含有する水中乳化剤型の組成は、下記表３０に示された通りである。
【０１２３】
【表３０】
2007520576.tif 000040
【０１２４】
［剤型例４７〜５２］クリーム剤型
実施例４８、５１〜５３、５５、５７で製造したナノ粒子を含有する水中乳化剤型の組成は、下記表３１に示された通りである。
【０１２５】
【表３１】
2007520576.tif 000041
【０１２６】
［剤型例５３〜５８］トニック剤型
実施例で製造したナノ粒子を含有する水中乳化剤型の組成は、下記表３２に示された通りである。
【０１２７】
【表３２】
2007520576.tif 000042
【図面の簡単な説明】
【０１２８】
【図１】図１は、コエンチームＱ１０を含有する自己集合性高分子ナノ粒子の透過電子顕微鏡写真である。
【図２】図２は、柏子仁抽出物を含有する自己集合性高分子ナノ粒子の透過電子顕微鏡写真である。
【図３】図３は、ジンセノサイドを含有する自己集合性高分子ナノ粒子の透過電子顕微鏡写真である。
【図４】図４は、ミノキシジルを含有するナノ粒子が有毛ギニーピッグ（Ｈａｉｒｙ  Ｇｕｉｎｅａ  ｐｉｇ）の皮膚中の毛嚢を透過して吸収されることを撮影した写真である。
【図５】図５は、ミノキシジルを含有するナノ粒子がハムスターの側腹器官（Ｈａｍｓｔｅｒ  ｆｌａｎｋ  ｏｒｇａｎ）に吸収されることを撮影した写真である。
【図１】
2007520576.tif 000043
【図２】
2007520576.tif 000044
【図３】
2007520576.tif 000045
【図４】
2007520576.tif 000046
【図５】
2007520576.tif 000047
【国際調査報告】
2007520576.tif 000048
2007520576.tif 000049